(57)【要約】      （修正有）【課題】靴のリサイクル性を向上させることができ、靴のかかと部を踏み難くすることが可能な靴用名札具を提供する。【解決手段】靴用名札具１は、靴９のかかと部９０に設けられた筒状のプルタブ部９１に取り付けられる。靴用名札具は、名札具本体１０と、名札具本体から延び、プルタブ部の一方の筒開口９１１から少なくとも先端部が挿入されてプルタブ部に係合される第１係合腕部１１と、名札具本体から延び、プルタブ部の他方の筒開口９１２から少なくとも先端部が挿入されてプルタブ部に係合される第２係合腕部１２と、を有している。名札具本体、第１係合腕部、および、第２係合腕部は、一体的に形成されている。【選択図】図４
0003217999.tif 000002
【実用新案登録請求の範囲】
【請求項１】
靴のかかと部に設けられた筒状のプルタブ部に取り付けられる靴用名札具であって、
名札具本体と、
上記名札具本体から延びており、上記プルタブ部の一方の筒開口から少なくとも先端部が挿入されて上記プルタブ部に係合される第１係合腕部と、
上記名札具本体から延びており、上記プルタブ部の他方の筒開口から少なくとも先端部が挿入されて上記プルタブ部に係合される第２係合腕部と、を有しており、
上記名札具本体、上記第１係合腕部、および、上記第２係合腕部は、一体的に形成されている、靴用名札具。
【請求項２】
上記名札具本体、上記第１係合腕部、および、上記第２係合腕部は、板状材料から一体的に形成されている、請求項１に記載の靴用名札具。
【請求項３】
上記板状材料の厚みは、３ｍｍ以下である、請求項２に記載の靴用名札具。
【請求項４】
上記第１係合腕部および上記第２係合腕部は、いずれも、先端部に、上記プルタブ部の筒内壁面に接触させるための先端爪部を有している、請求項１〜３のいずれか１項に記載の靴用名札具。
【請求項５】
上記靴に取り付けられた際の左右方向で見て、
上記名札具本体の上記左右方向の大きさは、上記第１係合腕部の外側の側縁部と上記第２係合腕部の外側の側縁部との間の距離以上とされている、請求項１〜４のいずれか１項に記載の靴用名札具。
【請求項６】
上記名札具本体の外形形状が、リボン、ハート、動物、昆虫、植物、乗り物、および、キャラクターからなる群より選択される１つの外形形状の一部または全部より形成されている、請求項１〜５のいずれか１項に記載の靴用名札具。
【考案の詳細な説明】
【技術分野】
【０００１】
本考案は、靴用名札具に関する。
【背景技術】
【０００２】
従来、かかと部の上端部に筒状のプルタブ部が設けられた靴が知られている。このプルタブ部によれば、靴使用者はプルタブ部を引きながら靴の中にかかとを入れることができるので、靴内に指をいれなくても容易に靴を履くことができる。
【０００３】
この種のプルタブ部を有する靴では、プルタブ部から靴のヒールカーブ部に沿って帯状部材が取り付けられていることがある。そして、靴の持ち主の名前を靴に記入することが求められる場合には、上記の帯状部材の表面に、油性ペン等によって名前を記入することが一般的である。また、上記の帯状部材がない場合には、かかと部の見えやすい適当な位置に名前が記入されることが多い。このように、靴のかかと部に名前が記入されるのは、下駄箱等に靴が並べられた際に靴の持ち主をすぐに把握できるようにするためなどの理由による。
【０００４】
なお、先行する特許文献１には、名前や連絡先を記入する名札表と、名札表をプルタブ部に固定する安全ピンとからなる靴用名札具が記載されている。
【先行技術文献】
【特許文献】
【０００５】
【特許文献１】特開２００９−２４７８６４号公報
【考案の概要】
【考案が解決しようとする課題】
【０００６】
しかしながら、従来技術には、次の課題がある。すなわち、靴のかかと部に、油性ペン等で直接名前を記載すると、靴の材質によっては名前がにじんだり、繰り返し靴を洗った際に名前が薄くなったりする。また、靴のリサイクルを図る際に、前の持ち主の名前が靴のかかと部に残ったままであると、リサイクルが難しい。また、靴のかかと部に直接名前を記載した場合には、かかと部を踏んで靴を履く子供もでてきやすい。なお、特許文献１の靴用名札具は、安全ピンを使用しているため、安全ピンが外れた際の危険性を考慮すると実際の使用は難しい。
【０００７】
本考案は、かかる課題に鑑みてなされたものであり、靴のリサイクル性を向上させることができ、靴のかかと部を踏み難くすることが可能な靴用名札具を提供しようとするものである。
【課題を解決するための手段】
【０００８】
本考案の一態様は、靴のかかと部に設けられた筒状のプルタブ部に取り付けられる靴用名札具であって、
名札具本体と、
上記名札具本体から延びており、上記プルタブ部の一方の筒開口から少なくとも先端部が挿入されて上記プルタブ部に係合される第１係合腕部と、
上記名札具本体から延びており、上記プルタブ部の他方の筒開口から少なくとも先端部が挿入されて上記プルタブ部に係合される第２係合腕部と、を有しており、
上記名札具本体、上記第１係合腕部、および、上記第２係合腕部は、一体的に形成されている、靴用名札具にある。
【考案の効果】
【０００９】
上記靴用名札具は、上記構成を有している。そのため、名札具本体から延びる第１係合腕部の少なくとも先端部を、プルタブ部の一方の筒開口から挿入してプルタブ部に係合させるとともに、名札具本体から延びる第２係合腕部の少なくとも先端部を、プルタブ部の他方の筒開口から挿入してプルタブ部に係合させることで、上記靴用名札具を靴のプルタブ部に取り付けることができる。そのため、下駄箱等に靴が並べられた際には、上記靴用名札具により靴の持ち主をすぐに把握することができる。また、自身の靴を一目で探すことも可能になる。それ故、上記靴用名札具によれば、靴の紛失、靴の履き間違いなどを防止することができる。また、上記靴用名札具では、名札具本体、第１係合腕部、および、第２係合腕部が一体的に形成されているので、第１係合腕部および第２係合腕部から名札具本体が外れ難くなり、名札具本体の紛失も防止しやすい。
【００１０】
また、靴が履けなくなった場合には、第１係合腕部および第２係合腕部をプルタブ部から外すことで、上記靴用名札具を古い靴から分離し、新しい靴のプルタブ部に取り付けることができる。つまり、上記靴用名札具は、プルタブ部への取り付け、取り外しが可能である。そのため、上記靴用名札具によれば、靴のリサイクル性を向上させることができる。特に成長の早い子供用の靴等のリサイクルに最適である。なお、靴を洗う際には、上記の通り、上記靴用名札具を靴から分離し、その後、乾いた靴のプルタブ部に再度、上記靴用名札具を取り付ければよい。また、上記靴用名札具は、取り外しが非常に簡単であるため、例えば、外出時に必要に応じて取り外すことにより、個人情報を保護しやすくなるなどの利点もある。
【００１１】
また、靴のかかと部に直接名前が記載されている場合に比べると、上記靴用名札具が靴のプルタブ部に取り付けられていることで、靴のかかと部を踏むことがためらわれる。そのため、上記靴用名札具によれば、靴のかかと部を踏み難くなり、子供のしつけなどに最適である。また、上記靴用名札具によれば、靴のかかと部を万一踏んでしまった場合でも、安全ピンを用いた靴用名札具に比べ、安全性が高い。
【図面の簡単な説明】
【００１２】
【図１】実施形態１の靴用名札具の正面図である。
【図２】図１におけるＩＩ−ＩＩ線断面図である。
【図３】実施形態１の靴用名札具における第１係合腕部および第２係合腕部の部分を拡大して示した説明図である。
【図４】実施形態１の靴用名札具を靴に取り付けた状態を説明するための説明図であり、（ａ）は靴のかかと部側から見た図であり、（ｂ）は靴の側面側から見た図である。
【図５】実施形態１の靴用名札具における第１係合腕部および第２係合腕部の変形例を示した説明図である。
【考案を実施するための形態】
【００１３】
実施形態１の靴用名札具について、図１〜図５を用いて説明する。図１〜図４に例示されるように、本実施形態の靴用名札具１は、靴９のかかと部９０に設けられた筒状のプルタブ部９１に取り付けられるものである。図４では、プルタブ部９１は、かかと部９０のヒールカーブ部９０１の上端縁に取り付けられている。靴用名札具１は、名札具本体１０と、第１係合腕部１１と、第２係合腕部１２と、を有している。以下、これを詳説する。
【００１４】
名札具本体１０は、靴用名札具１の本体をなす部位である。名札具本体１０のおもて面またはうら面に、靴９の持ち主の名前が設けられる。名札具本体１０には、油性ペン等により名前が直接記載されてもよいし、名前が記載されたシール等が貼られてもよい。なお、図４（ａ）では、名札具本体１０のおもて面に、「〇〇〇〇」という名前が記載されて使用されている例が示されている。
【００１５】
名札具本体１０の外形形状は、特に限定されない。図１では、名札具本体１０の外形形状がリボン形状とされている例が示されている。名札具本体１０の外形形状としては、例えば、他にもハート形等の各種マークやシンボル、幾何学形状など、また、動物（例えば、ウサギ、犬、猫、ネズミ、クマ等）・昆虫（例えば、カブトムシ、クワガタ、カマキリ、蝶等）・植物（例えば、花、果物、野菜等）・乗り物（例えば、車等）・キャラクターなどの外形の一部（例えば、顔や頭部等）または全体の外形などを例示することができる。とりわけ、名札具本体１０の外形形状がリボン形状やハート形状、キャラクター形状などである場合には、可愛らしい外形形状のおかけで靴９への名前記入が楽しいものになる、靴９への名前記入を積極的に行いやすくなるなどの利点がある。
【００１６】
第１係合腕部１１は、名札具本体１０から延びており、プルタブ部９１の一方の筒開口９１１から少なくとも先端部が挿入されてプルタブ部９１に係合される部位である。一方、第２係合腕部１２は、名札具本体１０から延びており、プルタブ部９１の他方の筒開口９１２から少なくとも先端部が挿入されてプルタブ部９１に係合される部位である。
【００１７】
靴用名札具１において、名札具本体１０、第１係合腕部１１、および、第２係合腕部１２は、一体的に形成されている。本実施形態では、具体的には、名札具本体１０、第１係合腕部１１、および、第２係合腕部１２は、板状材料から一体的に形成されている。この構成によれば、板状材料を打ち抜き加工することで、比較的簡単に靴用名札具１を形成することができる。また、この構成によれば、表裏同形とすることができるので、例えば、個人情報が人目に触れることが気になる場合には、名前を明記した面を内側面として、靴用名札具１を取り付けることも可能になる。板状材料としては、例えば、第１係合腕部１１および第２係合腕部１２のプルタブ部９１への取り付け、ブルタブ部９１からの取り外しが容易になるなどの観点から、可撓性材料を好適に用いることができる。板状材料としては、防水性、強度、コスト等の観点から、可撓性のあるプラスチック材料が特に好適である。
【００１８】
この際、板状材料の厚みは、例えば、３ｍｍ以下とすることができる。この構成によれば、靴用名札具１の製造性、第１係合腕部１１および第２係合腕部１２のプルタブ部９１への取り付け性、ブルタブ部９１からの取り外し性などを確保しやすくなる。板状材料の厚みは、好ましくは、２．５ｍｍ以下、より好ましくは、２ｍｍ以下、さらに好ましくは、１．５ｍｍ以下とすることができる。なお、板状材料の厚みは、靴用名札具１の剛性確保、強度などの観点から、好ましくは、０．３ｍｍ以上、より好ましくは、０．５ｍｍ以上とすることができる。
【００１９】
本実施形態において、第１係合腕部１１は、具体的には、名札具本体１０の上端縁から上方に延びており、プルタブ部９１の外に配置される露出腕部１１０と、基端部にて露出腕部１１０に繋がるとともに先端部がプルタブ部９１の一方の筒開口９１１側を向くように形成された挿入腕部１１１と、を有している。同様に、第２係合腕部１２は、具体的には、名札具本体１０の上端縁から上方に延びており、プルタブ部９１の外に配置される露出腕部１２０と、基端部にて露出腕部１２０に繋がるとともに先端部がプルタブ部９１の他方の筒開口９１２側を向くように形成された挿入腕部１２１と、を有している。そして、図１、図３等に示されるように、第１係合腕部１１と第２係合腕部１２との間には、第１係合腕部１１の先端部と第２係合腕部１２の先端部との間にて開放された開口１３が形成されている。
【００２０】
本実施形態において、第１係合腕部１１は、先端部に、プルタブ部９１の筒内壁面に接触させるための先端爪部１１２を有することができる。同様に、第２係合腕部１２は、先端部に、プルタブ部９１の筒内壁面に接触させるための先端爪部１２２を有することができる。この構成によれば、先端爪部１１２、先端爪部１２２がプルタブ部９１の筒内壁面に引っ掛かりやすくなるので、使用時に靴用名札具１が容易に取れ難くなる。図１、図３等では、先端爪部１１２が、挿入腕部１１１に形成されており、先端爪部１２２が、挿入腕部１２１に形成されている例が示されている。
【００２１】
なお、図５（ａ）、（ｂ）に例示されるように、第１係合腕部１１、第２係合腕部１２は、先端部に、先端爪部１１２、先端爪部１２２を有しない構成とすることもできる。また、第１係合腕部１１、第２係合腕部１２は、図３、図５（ａ）に例示されるように、途中に屈曲部を有するように形成されていてもよし、図５（ｂ）に例示されるように、途中に屈曲部を有さないよう湾曲状に形成されていてもよい。
【００２２】
本実施形態において、第１係合腕部１１および第２係合腕部１２は、靴９に取り付けられた際の左右方向に垂直な方向の直線を対称軸（図１では、対称軸はＩＩ−ＩＩ線と一致している）とする線対称に形成されることができる。この構成によれば、靴用名札具１を靴９に取り付けた際の左右のバランスに優れる。
【００２３】
本実施形態において、靴用名札具１は、図４（ａ）に例示されるように、靴９に取り付けられた際の左右方向で見て、名札具本体１０の左右方向の大きさＬ１が、第１係合腕部１１の外側の側縁部と第２係合腕部１２の外側の側縁部との間の距離Ｌ２以上となるように構成することができる。この構成によれば、名札具本体１０の外形形状の選択の自由度を向上させることができる。また、この構成によれば、名前表記領域を確保しやすくなるため、名札具本体１０への名前の表記がしやすくなる。
【００２４】
この際、名札具本体１０の左右方向の大きさＬ１を、靴９のかかと部９０の幅Ｌ３よりも小さくなるよう構成した場合には、一対の靴用名札具１を右足用の靴９、左足用の靴９にそれぞれ取り付け、一足の靴９を揃えて置いた際に、一足の靴９に取り付けられた靴用名札具１同士が互いに触れて干渉することを防止できる。そのため、この構成によれば、靴用名札具１を取り付けた際の見栄えが良くなる利点がある。
【００２５】
靴用名札具１は、上述した構成を有している。そのため、名札具本体１０から延びる第１係合腕部１１の少なくとも先端部を、プルタブ部９１の一方の筒開口９１１から挿入してプルタブ部９１に係合させるとともに、名札具本体１０から延びる第２係合腕部１２の少なくとも先端部を、プルタブ部９１の他方の筒開口９１２から挿入してプルタブ部９１に係合させることで、靴用名札具１を靴９のプルタブ部９１に取り付けることができる。そのため、下駄箱等に靴９が並べられた際には、靴用名札具１により靴９の持ち主をすぐに把握することができる。また、自身の靴９を一目で探すことも可能になる。それ故、靴用名札具１によれば、靴９の紛失、靴９の履き間違いなどを防止することができる。また、靴用名札具１では、名札具本体１０、第１係合腕部１１、および、第２係合腕部１２が一体的に形成されているので、第１係合腕部１１および第２係合腕部１２から名札具本体１０が外れ難くなり、名札具本体１０の紛失も防止しやすい。
【００２６】
また、靴９が履けなくなった場合には、第１係合腕部１１および第２係合腕部１２をプルタブ部９１から外すことで、靴用名札具１を古い靴９から分離し、新しい靴９のプルタブ部９１に取り付けることができる。つまり、靴用名札具１は、プルタブ部９１への取り付け、取り外しが可能である。そのため、靴用名札具１によれば、靴９のリサイクル性を向上させることができる。特に成長の早い子供用の靴９等のリサイクルに最適である。なお、靴９を洗う際には、上記の通り、靴用名札具１を靴９から分離し、その後、乾いた靴９のプルタブ部９１に再度、靴用名札具１を取り付ければよい。また、靴用名札具１は、取り外しが非常に簡単であるため、例えば、外出時に必要に応じて取り外すことにより、個人情報を保護しやすくなるなどの利点もある。
【００２７】
また、靴９のかかと部９０に直接名前が記載されている場合に比べると、靴用名札具１が靴９のプルタブ部９１に取り付けられていることで、靴９のかかと部９０を踏むことがためらわれる。そのため、靴用名札具１によれば、靴９のかかと部９０を踏み難くなり、子供のしつけなどに最適である。また、靴用名札具１によれば、靴９のかかと部９０を万一踏んでしまった場合でも、安全ピンを用いた靴用名札具に比べ、安全性が高い。
【００２８】
本考案は、上記実施形態に限定されるものではなく、その要旨を逸脱しない範囲において種々の変更が可能である。また、上記実施形態に示される各構成は、それぞれ任意に組み合わせることができる。
【符号の説明】
【００２９】
１  靴用名札具
１０  名札具本体
１１  第１係合腕部
１２  第２係合腕部
９  靴
９０  かかと部
９１  プルタブ部
９１１  一方の筒開口
９１２  他方の筒開口
【図１】
0003217999.tif 000003
【図２】
0003217999.tif 000004
【図３】
0003217999.tif 000005
【図４】
0003217999.tif 000006
【図５】
0003217999.tif 000007